(57)【要約】【課題】キーボード底板とキーボード底台を直接一体に結合可能で、作業手順を縮減可能であるキーボード底板とキーボード底台を直接結合する方法を提供する。【解決手段】  キーボード底板1とキーボード底台を相互に結合する方法は、以下のステップを備え、a.キーボード底板1に数個の貫通孔11を設置し、b.金型2にキーボード底板1を収容可能な空間を設置し、該空間を、成型しようとするキーボード底台のキーボード底台キャビティー22に設置し、c.キーボード底板1を金型2上にセットし、金型2を合わせた後、射出成型を行い、d.プラスチック原料は、金型2のキーボード台凹槽221に流入し、貫通孔11を貫通し、キーボード底台キャビティー22まで流れ、プラスチック原料はキーボード底板1の貫通孔11と底台キャビティー22を覆い、e.プラスチック原料の冷却を待ち、金型2を開き、キーボード底板1を取り出すと、キーボード底台はキーボード底板1と一体に結合する。【選択図】図２
2010244265.tif 000002
【特許請求の範囲】
【請求項１】
キーボード底板とキーボード底台を相互に結合する方法は、以下のステップを含み、
ａ．キーボード底板に、数個の貫通孔を設置し、
ｂ．金型に前記キーボード底板を収容可能な空間を設置し、前記空間を、成型しようとするキーボード底台のキーボード底台キャビティーに設置し、
ｃ．前記キーボード底板を前記金型上にセットし、前記金型を合わせた後、射出成型を行い、
ｄ．プラスチック原料は、前記金型のキーボード台凹槽に流入し、前記貫通孔を貫通し、前記キーボード底台キャビティーまで流れ、プラスチック原料は前記キーボード底板の貫通孔と前記底台キャビティーを覆い、
ｅ．プラスチック原料の冷却を待ち、前記金型を開き、前記キーボード底板を取り出すと、前記キーボード底台は前記キーボード底板と一体に結合することを特徴とするキーボード底板とキーボード底台を直接結合する方法。
【請求項２】
キーボード底板とキーボード底台を相互に結合する方法は、以下のステップを備え、
ａ．キーボード底板に、数個の貫通孔を設置し、前記貫通孔は、ステップ状孔を備え、
ｂ．前記金型に前記キーボード底板を収容可能な空間を設置し、前記空間を、成型しようとするキーボード底台のキーボード底台キャビティーに設置し、
ｃ．前記キーボード底板を金型上にセットし、前記金型を合わせた後、射出成型を行い、
ｄ．プラスチック原料は前記金型の貫通孔に流入し、前記キーボード台凹槽に到達し、プラスチック原料は、前記キーボード底板のステップ状孔、前記貫通孔、前記キーボード底台キャビティーを覆い、
ｅ．プラスチック原料の冷却を待ち、前記金型を開き、前記キーボード底板を取り出すと、キーボード底板は前記キーボード底台と直接一体に結合することを特徴とする請求項１に記載のキーボード底板とキーボード底台を直接結合する方法。
【発明の詳細な説明】
【技術分野】
【０００１】
本発明はコンピューターキーボードの製造方法に関し、特にキーボード底板とキーボード底台を直接結合する方法に関する。
【背景技術】
【０００２】
電子製品は日進月歩の進歩を遂げ、どんどん新しくなっている。
特に、コンピューターの進歩は目覚しいが、キーボードはコンピューターが使用する入力設備である。キーボードには多種の構造がある。
【０００３】
図1に示すように、ハサミ脚構造を使用するキーボードは、板面上に貫通孔を設置する底板A、底板上に固定するキーボード底台B、キーボード台B上に係合するサポートフレームC、サポートフレームC上にそれぞれ嵌合するキーユニットDにより組成する。
【０００４】
その組み立て方式は、先ず、キーボード台Bを単独で射出成型後に、キーボード底板A上にセットし、溶接する。
よって、その組み立てステップは煩雑で、組み立てに時間がかかるため、コストが高くなってしまう。
キーボード組み立て方式の上記した欠点に鑑み、組み立てステップを減らし、組み立てをスピーディーにし、コストを低下させるため、本発明はなされたものである。
【発明の概要】
【発明が解決しようとする課題】
【０００５】
本発明が解決しようとする課題は、キーボード底板を金型にセットし、射出成型を行い、こうしてキーボード底板はキーボード底台と直接相互に結合するキーボード底板とキーボード底台を直接結合する方法を提供することである。
【課題を解決するための手段】
【０００６】
上記課題を解決するため、本発明は下記のキーボード底板とキーボード底台を直接結合する方法を提供する。
キーボード底板とキーボード底台を相互に結合する方法は、以下のステップを備え、
ａ．キーボード底板に数個の貫通孔を設置し、
ｂ．金型に該キーボード底板を収容可能な空間を設置し、該空間を、成型しようとするキーボード底台のキーボード底台キャビティーに設置し、
ｃ．該キーボード底板を該金型上にセットし、該金型を合わせた後、射出成型を行い、
ｄ．プラスチック原料は、該金型のキーボード台凹槽に流入し、該貫通孔を貫通し、該キーボード底台キャビティーまで流れ、プラスチック原料は該キーボード底板の貫通孔と該底台キャビティーを覆い、
ｅ．プラスチック原料の冷却を待ち、該金型を開き、該キーボード底板を取り出すと、該キーボード底台は該キーボード底板と一体に結合し、
さらに、キーボード底板とキーボード底台を相互に結合する方法は、以下のステップを備え、
ａ．キーボード底板に、数個の貫通孔を設置し、貫通孔は、ステップ状孔を備え、
ｂ．金型に該キーボード底板を収容可能な空間を設置し、該空間を、成型しようとするキーボード底台のキーボード底台キャビティーに設置し、
ｃ．キーボード底板を金型上にセットし、金型を合わせた後、射出成型を行い、
ｄ．プラスチック原料は金型の貫通孔に流入し、キーボード台凹槽に到達し、プラスチック原料は、該キーボード底板のステップ状孔、該貫通孔、該キーボード底台キャビティーを覆い、
ｅ．プラスチック原料の冷却を待ち、該金型を開き、該キーボード底板を取り出すと、キーボード底板は該キーボード底台と直接一体に結合する。
【発明の効果】
【０００７】
本発明は、プラスチック原料が冷却すると、キーボード底板はキーボード底台と直接相互に結合しているため、組み立てのための作業時間を縮減可能である。さらに、本発明が使用する設備、プラスチックの種類、加工条件、温度等はすべて、一般のキーボード製造において採用するものと相同であり、ただ、プラスチック射出成型機上の金型と市販のキーボード製造金型が異なるだけである。本発明では、キーボード底板に金型をセット後、金型はキーボード底板とキーボード底台を直接射出結合する効果を発揮する。
【図面の簡単な説明】
【０００８】
【図１】従来のキーボードの分解図である。
【図２】本発明キーボード底板とキーボード底台を相互に結合する方法において、第一実施例金型の模式図である。
【図３】本発明キーボード底板とキーボード底台を相互に結合する方法において、第二実施例金型の模式図である。
【図４】本発明キーボード底板とキーボード底台を相互に結合する方法において、第一実施例キーボード底板の立体図である。
【図５】本発明キーボード底板とキーボード底台を相互に結合する方法において、第二実施例キーボード底板の立体図である。
【図６】本発明キーボード底板とキーボード底台を相互に結合する方法において、キーボード底板がキーボード底台を含む様子を示す模式図である。
【発明を実施するための形態】
【０００９】
以下に図面を参照しながら本発明を実施するための最良の形態について詳細に説明する。
【実施例１】
【００１０】
図2、図4に示すように、キーボード底板1には、数個の貫通孔11を設置する。
金型2には、キーボード底板空間21を設置し、成型しようとするキーボード底台3のキーボード底台キャビティー22を設置する。
【００１１】
キーボード底板1を金型2上にセットし、金型2を合わせた後、射出成型を行い、プラスチック原料は、金型2のキーボード台凹槽221に流入し、貫通孔11を貫通し、キーボード底台キャビティー22まで流れる。
【００１２】
プラスチック原料はキーボード底板1の貫通孔11とキーボード底台キャビティー22を覆う。
プラスチック原料の冷却を待ち、金型2を開き、キーボード底板1を取り出す。
この時、キーボード底板1は、既にキーボード底台3の特徴を備えている。
【実施例２】
【００１３】
図3、図5に示すように、キーボード底板1には、数個の貫通孔11を設置する。
貫通孔11は、ステップ状孔111を備え、金型2には、キーボード底板空間21を設置し、成型しようとするキーボード底台3を備えるキーボード底台キャビティー22を設置する。
【００１４】
キーボード底板1を金型2上にセットし、金型2を合わせた後、射出成型を行う。
プラスチック原料は金型2の貫通孔11に流入し、キーボード台凹槽221に到達し、プラスチック原料は、キーボード底板1のステップ状孔111、貫通孔11、キーボード底台キャビティー22を覆う。
プラスチック原料の冷却を待ち、金型2を開き、キーボード底板1を取り出す。
この時、キーボード底板1は、既にキーボード底台3の特徴を備えている。
【００１５】
上記説明は、本発明技術内容の説明に用いたのみで、本発明を限定するものではない。当該領域において、普通の知識を有する技術人員が理解でき、本発明の精神に基づく等価応用或いは部品（構造）の転換、置換、数量の増減はすべて、本発明の保護範囲に含むものとする。
【産業上の利用可能性】
【００１６】
本発明は、キーボード底板とキーボード底台を直接一体に結合可能で、作業手順を縮減可能である。
【符号の説明】
【００１７】
1・・・キーボード底板
11・・・貫通孔
111・・・ステップ状孔
2・・・金型
21・・・キーボード底板空間
22・・・キーボード底台キャビティー
221・・・キーボード台凹槽
3・・・キーボード底台
【図１】
2010244265.tif 000003
【図２】
2010244265.tif 000004
【図３】
2010244265.tif 000005
【図４】
2010244265.tif 000006
【図５】
2010244265.tif 000007
【図６】
2010244265.tif 000008